(57)【要約】【課題】壁掛け金具を取付けたとしても、プラズマテレビのシャーシに回転トルクや引張り力を残留することの無い構造とし、高地ノイズを削減するプラズマテレビの取付け金具を提供すること【解決手段】プラズマテレビを壁掛け金具に取り付けるときのプラズマテレビの取付け金具であって、壁掛け金具のＵ字溝にはめられるワッシャーと、プラズマテレビの背面カバー側のシャーシのボスにねじ止めされるねじ部と、ワッシャーを固定する非ねじ部を有する断付き取付けビスとを備え、非ねじ部の高さが、ワッシャーの高さよりも高いので、絶縁ワッシャーをプラズマテレビのバックカバーに対して隙間を設けながら取付けることとなり、背面カバーに回転トルクや引張り力を負荷しないので、シャーシに歪を発生させることがない。【選択図】図１
2010271441.tif 000002
【特許請求の範囲】
【請求項１】
プラズマテレビを壁掛け金具に取り付けるときのプラズマテレビの取付け金具であって、
前記壁掛け金具のＵ字溝にはめられるワッシャーと、
前記プラズマテレビの背面カバー側のシャーシのボスにねじ止めされるねじ部と、前記ワッシャーを固定する非ねじ部を有する断付き取付けビスとを備え、
前記非ねじ部の高さが、前記ワッシャーの高さよりも高いことを特徴とするプラズマテレビの取付け金具。
【発明の詳細な説明】
【技術分野】
【０００１】
本発明は薄型テレビ、特にプラズマテレビに関した壁掛け金具に関するものである。
【背景技術】
【０００２】
従来のプラズマテレビの壁掛けは、テレビ本体に取付けた取付け金具、あるいは、取付け機構を備えた絶縁ワッシャーをビスなどで固定して、これを壁に取付けられた壁掛け金具に引掛ける構造が主流となっている。そして、プラズマテレビの場合、不要輻射対策として、テレビ本体と壁に取付けられた壁掛け金具との間に絶縁体を介在させる必要があるので、テレビ本体に取付け金具を取付ける際に、絶縁ワッシャーをテレビ本体のシャーシに取付けられたボスと背面カバーにビスで結合する。そのとき、ビスを締め付けるトルクが背面カバーとの摩擦によりシャーシに残留する構成となっている。
【０００３】
図６は、従来の壁掛け金具とプラズマテレビの概略図である。壁掛け金具本体４０１は壁面に取付けビス４０２で取付けられる構造となっている。プラズマテレビ４０４には、取付け機構を有する絶縁ワッシャー４０５を取付けビス４０６で固定する。取付け機構を有する絶縁ワッシャー４０２を取付けたプラズマテレビ４０４は、壁掛け金具本体４０１が備えるＵ字溝４０３に絶縁ワッシャー４０２を介して壁掛け金具４０１に取付けることができる。
【０００４】
図７は図６におけるプラズマテレビ４０４の背面カバー３０５を透視した概略構成図である。電子基板などの部品の表示は省略している。シャーシ３０５は前面キャビネット３０８と背面カバー３０５の間に挟まれて保持される構造になっている。そして、このシャーシ３０５には、プラズマディスプレイパネルや電子基板が装着されている。また、シャーシのボス３０７は、壁掛け金具を取付けるための絶縁ワッシャー４０５を取付ける部位にもなっている。
【０００５】
この従来のプラズマテレビのシャーシボス３０７回りの部分拡大断面図を図８に示す。図８の断面図において、取付けビス３０１は絶縁ワッシャー３０２をプラズマテレビ４０４のシャーシボス３０４に、背面カバー３０３と共に挟み込んで取付けている。そのために、背面カバー３０３とシャーシボス３０４は取付けビス３０１の締め付けの残留トルクと引張り力によりお互いに力を与えている関係になる。また、壁掛け金具に取付けるための取付け構造として、熱による膨張や外力による変形に対する配慮をしている例も見られるが、背面カバーとシャーシはビスで結合されており、取付けビスの摩擦力による回転トルクや引張り力の影響がシャーシに残る構造となっている（例えば、特許文献１）。
【先行技術文献】
【特許文献】
【０００６】
【特許文献１】特開平１１−００３０４１号公報
【発明の概要】
【発明が解決しようとする課題】
【０００７】
しかしながら、前記従来の構成では、引掛け構造を有する取付け金具や絶縁ワッシャーとプラズマテレビのシャーシのボスとの間に背面カバーを挟み込んで、締め付けられたねじの回転トルクや引張り力が背面カバーとの間に生じた摩擦力によって、プラズマテレビのシャーシに残留し、その影響でプラズマテレビのパネルが歪むこととなっている。さらに、この歪が原因の１つとなって標高の高い地域において、パネルから発生する高地ノイズが助長されるという課題を有していた。
【０００８】
高地ノイズについて説明する。高地ノイズといわれる現象は、標高２，４００ｍ以上の気圧の低い高地において、ガラスパネルに封入された陰圧ガスとの圧力差が少なくなり、２枚ガラスのうちの一枚が振動することを抑えられずに、発生するノイズである。通常の気圧においては全数発生しないものであるが、人が居住する限界の高地（気圧７５１ｈＰａ以下）付近ではプラズマディスプレイパネルの内部圧力との差が小さくなり、ノイズが発生する可能性がある。
【０００９】
高地ノイズは、プラズマディスプレイパネルのガスの封入される圧力と、パネル温度とプラズマディスプレイパネルの歪が大きいときに発生しやすい。詳細に説明すると、プラズマディスプレイパネルに生じた歪により、プラズマディスプレイパネルの２枚のガラスの接続部の近傍において均一な接触を維持することができなくなり、パネルを駆動する信号によって視聴者側のガラスの振動がノイズとして発生する。
【００１０】
このように、プラズマディスプレイパネルの歪に依存する特徴を持つ高地ノイズにおいては、壁掛け取付け構造である取付け金具を装着することは、外力による変形の影響を強く受けることとなる。したがって、プラズマディスプレイをスタンドに立てる場合はプラズマディスプレイパネルが比較的変形しにくいためノイズが発生しなくいが、壁掛け取付け構造を有する金具を取付ける場合には、背面カバーとの摩擦力などの影響により、トルクや引張り力が発生してプラズマディスプレイパネルに歪が発生し、気圧の低い高地においてノイズが発生するという問題が発生する。
【００１１】
さらに、プラズマディスプレイパネル表示部を用いて、引掛け構造を有する金具の取付けによる残留歪がプラズマテレビ表示部のガラスパネルに与える影響について説明する。図９は、従来のプラズマテレビの表示部の概略図である。図８に記載の取付けビス３０１のビス締結による回転トルクや引張り力がプラズマテレビの表示部を保持するシャーシ部５０１に残留すると、シャーシ５０１を保持するガラス押さえ金具５０２との締結部付近に歪を生じさせる原因となる。このシャーシ５０１のガラス押さえ金具５０２との締結部分に生じる歪は、プラズマディスプレイパネルの表示部５０３に相応の歪を与えることになる。
【００１２】
取付けビス３０１の締め付けトルク及び引張り力がシャーシに与える影響について数値シミュレーションした結果を説明する。図１０は、従来のプラズマテレビの締め付けトルク及び引張り力がシャーシに与える影響の解析図である。図１０（ａ）のように、シャーシ５０１全面において、色の濃い部分が大きな歪の値を示しており、濃い色から淡い色となるにしたがって小さな歪になることを示している。今回のシミュレーションでは４つの取付けビスのうち、画面右上の１つのビスにトルクと引張り力が働いた場合の結果を示している。点線で囲まれた領域Ａにおいて、最も色の濃い部分は取付けビス１０１が締め付けられるシャーシボス１０４がある場所で、直接回転トルクと引張り力が働く場所であるので、大きな歪が生じている。
【００１３】
また、図１０（ｂ）に領域Ａの拡大図を示す。図１０（ｂ）の上端部及び右端部に見られるように、シャーシの端部に比較的大きな歪が発生していることがわかる。この例においては特に短辺側により大きな歪が発生していることがわかる。この端面の歪がガラスパネルに対して影響を及ぼすものと考えられる。
【００１４】
本発明は、前記従来の課題を解決するもので、壁掛け金具を取付けたとしても、プラズマテレビのシャーシに回転トルクや引張り力を残留することの無い構造とし、高地ノイズを削減するプラズマテレビの取付け金具を提供することを目的とする。
【課題を解決するための手段】
【００１５】
前記従来の課題を解決するために、本発明のプラズマテレビの取付け金具は、プラズマテレビを壁掛け金具に取り付けるときのプラズマテレビの取付け金具であって、壁掛け金具のＵ字溝にはめられるワッシャーと、プラズマテレビの背面カバー側のシャーシのボスにねじ止めされるねじ部と、ワッシャーを固定する非ねじ部を有する断付き取付けビスとを備え、非ねじ部の高さが、ワッシャーの高さよりも高いことを特徴とする。
【００１６】
本構成によって、絶縁ワッシャーをプラズマテレビのバックカバーに対して隙間を設けながら取付けることにより、背面カバーに回転トルクや引張り力を負荷しないので、シャーシに歪を発生させることがない。
【発明の効果】
【００１７】
本発明のプラズマテレビの取付け金具によれば、気圧の低い高地においてプラズマテレビを壁掛けにしても、プラズマテレビのシャーシに回転トルクや引張り力は発生しないので、変形したシャーシによって発生しやすくなる高地ノイズを抑制することができる。
【図面の簡単な説明】
【００１８】
【図１】本発明の実施例１におけるプラズマテレビの壁掛け金具取付けビス周りの部分拡大断面図
【図２】本発明の実施例１のプラズマテレビの締め付けトルク及び引張り力がシャーシに与える影響の解析図
【図３】本発明の実施例２におけるプラズマテレビの壁掛け金具取付けビス周りの部分拡大図
【図４】実施例２における別金具の取付けの説明図
【図５】本発明の実施例３におけるプラズマテレビの壁掛け金具取付けビス周り部分拡大断面図
【図６】従来の壁掛け金具とプラズマテレビの概要図
【図７】従来のプラズマテレビの背面カバーを透視した概略構成図
【図８】従来のプラズマテレビのシャーシボス回りの部分拡大断面図
【図９】従来のプラズマテレビの表示部の概略図
【図１０】従来のプラズマテレビの締め付けトルク及び引張り力がシャーシに与える影響の解析図
【発明を実施するための形態】
【００１９】
以下本発明を実施するための最良の形態について、図面を参照しながら説明する。
【実施例１】
【００２０】
まず、プラズマテレビの壁掛け金具にプラズマテレビを取付けるためのテレビに取付ける取付けビス周りについて説明する。図１は、本発明の実施例１におけるプラズマテレビの壁掛け金具取付けビス周りの部分拡大断面図である。図１では、独立した４つの構成部品、段付き取付けビス１０１と、絶縁ワッシャー１０２と、背面カバー１０３と、シャーシボス１０４とが示されている。
【００２１】
段付き取付けビス１０１は絶縁ワッシャー１０２をプラズマテレビに取付けるビスである。プラズマテレビを壁掛け金具に掛けるとき、プラズマテレビの重量をこの段付き取付けビス１０１を４本で支持するため、十分な強度が必要で、本実施例ではＭ８相当の強度としている。段付き取付けビス１０１は、軸がネジ部１０５の直径に対して非ネジ部１０６の直径が１ｍｍ程度大きい段付の構造をしたビスになっている。
【００２２】
また、絶縁ワッシャー１０２は、中心に段付き取付けビス１０１の非ネジ部１０６の直径よりやや大きめの穴を有しており、段付き取付けビス１０１が自由に回転できるようになっている。また、本実施例では絶縁ワッシャー１０２の周方向（段付き取付けビス１０１のねじ方向の垂直方向）には図１に示すようなコの字型の溝が形成されており、この溝の巾は図６に示す壁に取付けられている壁掛け金具４０１のＵ字溝４０３の板厚よりやや大きいものとなっている。また、絶縁ワッシャー１０２の最外径は、壁掛け金具４０１のＵ字溝４０３の小さいほうの直径より大きく、Ｕ字溝４０３の大きいほうの直径よりも小さい特徴を有している。また、絶縁ワッシャー１０２の最内径はＵ字溝４０３の小さい方の直径よりもやや小さい直径となっている。
【００２３】
背面カバー１０３は図７の背面カバー３０５の部分断面図であるので、図７を用いて説明する。背面カバー３０５は前面キャビネット３０８及び、シャーシ３０６と複数のビスで固定されている。また、さらにシャーシ３０６との間に電気部品を取付ける金具などを介してビス止めされている。
【００２４】
シャーシボス１０４も図７のシャーシボス３０７の部分拡大断面図であるので図７と、プラズマテレビの表示部を示した図９を用いて説明する。シャーシボス３０７を具備するシャーシ３０６は、前面キャビネット３０８や前面キャビネットに固定されているガラス押さえ金具５０２にビスで固定されている。シャーシボス１０４は取付けビス１０１が容易に取付けられるように、予めタップが切られている。また、シャーシボス３０７はシャーシ３０６にしめられて取付けられているため、ずれやゆるみが生じることはない。
【００２５】
以上の部品で構成される本実施例では、段付き取付けビス１０１をシャーシボス１０４に締め込んだとき、段付き取付けビス１０１の段付部１０６がシャーシボス１０４の頭頂部に直接当接する構造になっている。このとき、絶縁ワッシャー１０２の厚みよりも段付き取付けビス１０１の非ネジ部１０６の長さを長くすることで、段付き取付けビス１０１締め付け時に絶縁ワッシャー１０２と背面カバー１０３の間に隙間１０７が生じることになる。この隙間１０７があることにより、プラズマテレビの重量が４本の段付き取付けビス１０１で支持しても、背面カバー１０３に回転トルクや引張り力を負荷しないので、シャーシ３０６にも歪を生じさせることがない。それゆえ、パネルから発生する高地ノイズを抑制することができる。
【００２６】
段付き取付けビス１０１の締め付けトルク及び引張り力がシャーシに与える影響について数値シミュレーションした結果を説明する。図２は、本発明の実施例１のプラズマテレビの締め付けトルク及び引張り力がシャーシに与える影響の解析図である。図２（ａ）のように、シャーシ５０１全面において、色の淡い色部分のみで、小さな歪のみであることを示している。
【００２７】
また、図２（ｂ）に領域Ａの拡大図を示す。図２（ｂ）の上端部及び右端部に見られるように、シャーシの端部にも大きな歪が発生していないことがわかる。このように端面に歪が発生していないことから、ガラスパネルに対して影響を及ぼさないものと考えられる。
【００２８】
かかる構成によれば、絶縁ワッシャーをプラズマテレビのバックカバーに対して隙間を設けながら取付けることにより、背面カバーに回転トルクや引張り力を負荷しないので、シャーシに歪を発生させることがない。そのため、シャーシの歪が原因となって発生する高地ノイズを抑制することができる。
【００２９】
なお、本実施の形態において、段付き取付けビス１０１の非ネジ部１０６の直径がネジ部１０５の直径より１ｍｍ程度大きいとしたが、非ネジ部１０６の直径をネジ部１０５の直径と同じ直径としても良い。非ネジ部１０６を不完全ネジ部とするため、取付けビス１０１の締め付けトルクを制御し、同等の効果を期待できる上に、製造コストを低減することができる。
【実施例２】
【００３０】
図３は、本発明の実施例２のプラズマテレビの壁掛け金具取付けビス周りの部分拡大図である。図３において、構成要素は実施例１と同様の４つ構成部品、段付き取付けビス１０１と、絶縁ワッシャー１０２と、背面カバー２０３と、シャーシボス１０４となる。実施例１と異なる点として、バックカバー２０３の壁掛け金具取付けビス１０１と絶縁ワッシャー１０２とシャーシボス１０４が当接する部位に絶縁ワッシャー１０２の直径よりやや大きな穴２０４が設けられていることである。
【００３１】
バックカバー２０３とシャーシボス１０４が取付けビス１０１を介して接続される場合はそれぞれが別の部位ですでに拘束を受けているために、ねじを介して接続される部分において摩擦による回転トルクが残留し、その影響をシャーシが受けることになる。本発明においては、上記穴２０４の形状が絶縁ワッシャー１０２よりも大きな形状であるために、取付けビス１０１を締めこんだとしても、取付けビス１０１と絶縁ワッシャー１０２とシャーシボス１０４が当接するだけで、バックカバー２０３を挟むことなく取付けビス１０１および絶縁ワッシャー１０２を取付けることになる。絶縁ワッシャー１０２と取付けビス１０１は他からの拘束を受けていないために、摩擦力に起因する回転トルクによってシャーシボスに対して残留応力が発生することは無い。したがって、シャーシの歪によってガラス端面近傍の歪及び隙間量は変化を受けることが無いので、絶縁ワッシャー１０２の取付けによるノイズの発生現象は生じない。実施例１と比較すると、絶縁ワッシャー１０２をしっかりと固定できるので、壁掛け金具４０１への取付けの作業性がよくなるという効果がある。
【００３２】
また、本発明の実施の形態２にかかる構造においては、図４に示すように絶縁ワッシャー１０２と取付けビス１０１との間に金具７０１などの別の取付け構造を取付けたとしても、シャーシ５０１に取付けに起因する歪を発生させること無く、金具７０１しっかりと固定することができる。
【００３３】
かかる構成によれば、絶縁ワッシャーをプラズマテレビのバックカバーに対して隙間を設けながら取付けることにより、背面カバーに回転トルクや引張り力を負荷しないので、シャーシに歪を発生させることがない。そのため、シャーシの歪が原因となって発生する高地ノイズを抑制することができる。
【実施例３】
【００３４】
図５は、本発明の実施例３におけるプラズマテレビの壁掛け金具取付けビス周り部分拡大断面図である。図５において、構成要素は実施例１、実施の形態２と同様の４つ構成部品、段付き取付けビス１０１と、絶縁ワッシャー６０２と、背面カバー６０３と、シャーシボス１０４となる。
【００３５】
図５において、絶縁ワッシャー６０２の形状は図１の絶縁ワッシャー１０２と同様に周方向にコの字の溝があるが、取付けビス１０１を締め付ける反対側に突起６０４がある。この突起６０４は中心に取付けビス１０１が自由に回転できる穴形状を有し、その外径は絶縁ワッシャー６０２の最外径よりは小さく、さらに背面カバー６０３に開けられた穴径よりも小さな外径となっている。また、突起６０４の長さは背面カバー６０３の板厚よりも長くなっている。背面カバー６０３の穴径は、突起６０４の最外径よりは大きく、絶縁ワッシャー６０２の最外径よりは小さいものとなっている。
【００３６】
実施例２で説明したとおり、背面カバー１０３とシャーシボス１０４が取付けビス１０１を介して接続される場合はそれぞれが別の部位ですでに拘束を受けているために、ねじを介して接続される部分において摩擦による回転トルクが残留し、その影響をシャーシ５０１が受けることになる。本実施例３においては、絶縁ワッシャー６０２の突起６０３の外径が背面カバー６０３の穴径よりも小さいので、取付けビス１０１を締めこんだとしても、取付けビス１０１と絶縁ワッシャー６０２とシャーシボス１０４が当接するだけで、背面カバー６０３を挟むことなく取付けビス１０１および絶縁ワッシャー６０２を取付けることになる。
【００３７】
絶縁ワッシャー６０２と取付けビス１０１は他からの拘束を受けていないために、摩擦力に起因する回転トルクによってシャーシボス１０４に対して残留応力が発生することは無い。したがって、シャーシ５０１の歪によってガラス端面近傍の歪及び隙間量は変化を受けることが無いので、絶縁ワッシャー６０２の取付けに起因する高地ノイズの発生現象は生じない。
【００３８】
本実施例は、実施例２と同様、絶縁ワッシャー６０２をしっかりと固定することができる。さらに、絶縁ワッシャー６０２の最外径は背面カバー６０３の穴径より大きくなっているので、実施例２では見える可能性のある背面カバー６０３の穴が外部から見えないというデザイン上の利点が上げられる。また、実施例２と同様に絶縁ワッシャー１０２と取付けビス１０１との間に別金具７０１を取付けたとしても、シャーシボス１０４に取付けによるトルクを与えることなく、別金具７０１をしっかりと固定して取付けることが可能になる。
【００３９】
かかる構成によれば、絶縁ワッシャーをプラズマテレビのバックカバーに対して隙間を設けながら取付けることにより、背面カバーに回転トルクや引張り力を負荷しないので、シャーシに歪を発生させることがない。そのため、シャーシの歪が原因となって発生する高地ノイズを抑制することができる。
【産業上の利用可能性】
【００４０】
本発明のプラズマテレビの取付け金具は、取付けビス及び絶縁ワッシャーをプラズマテレビに取付け時に背面カバーとシャーシボスの間で発生する回転トルク及び引張り力に起因するシャーシの変形あるいは歪を抑制することが可能になるので、壁掛け金具を取付けることにより発生する高地ノイズを抑制する手段として有用である。
【符号の説明】
【００４１】
１０１    段付き取付けビス
１０２    絶縁ワッシャー
１０３    背面カバー
１０４    シャーシボス
１０５    取付けビス１０１のネジ部
１０６    取付けビス１０１の非ネジ部
１０７    隙間
２０３    背面カバー
２０４    穴
３０１    取付けビス
３０２    絶縁ワッシャー
３０３    背面カバー
３０４    シャーシボス
３０５    シャーシ
３０６    背面カバー
３０７    シャーシボス
３０８    前面キャビネット
３０９    ガラス押さえ金具
４０１    壁掛け金具本体
４０２    壁掛け金具取付けビス
４０３    プラズマテレビ本体
４０４    絶縁ワッシャー
４０５    絶縁ワッシャーの取付けビス
５０１    シャーシ
５０２    ガラス押さえ金具
５０３    パネルガラス
６０２    絶縁ワッシャー
６０３    背面カバー
６０４    絶縁ワッシャーの突起部
７０１    壁掛け金具への取付け機構を有する金具
【図１】
2010271441.tif 000003
【図３】
2010271441.tif 000004
【図４】
2010271441.tif 000005
【図５】
2010271441.tif 000006
【図６】
2010271441.tif 000007
【図８】
2010271441.tif 000008
【図９】
2010271441.tif 000009
【図２】
2010271441.tif 000010
【図７】
2010271441.tif 000011
【図１０】
2010271441.tif 000012